(57)【要約】      （修正有）【課題】トイレ又はベッドとしても使用でき、コンパクトな車椅子を提供する。【解決手段】車椅子は、車椅子の台座の中央部分に開口部を設け、通常用台座とトイレ用台座の入れ換えが出来るようにする。車椅子の背もたれ部を下方に回転可能にし、足乗せ部を上方に回転可能にし、車椅子をベッド状に展開できるようにする。【選択図】図１
0003179093.tif 000002
【実用新案登録請求の範囲】
【請求項１】
車椅子の座部において、通常の座部とトイレ用座部を交換可能にした車椅子。
【請求項２】
車椅子の背もたれ部を下方に回転可能とし、足乗せ部を上方に回転可能とし、車椅子をベット状に展開できるようにした車椅子。
【請求項３】
移動用車輪を車椅子内側、脚部の下方に設けたことを特徴とする車椅子。
【考案の詳細な説明】
【技術分野】
【０００１】
本考案は、歩行に障害が有り介護者や付き添いの方を必要とする人の為の室内・屋外での自由を幅広く増加せる為の車椅子に関するものである。
【背景技術】
【０００２】
屋外などのトイレに行く時、なれない所のトイレの移動をとても負担に感じられる。その上ある程度の時間同じ姿勢で座っていると、疲れると言う問題点があった。本考案では、このような問題点を解決して幅広く行動が出来るようにトイレ、ベッドを兼ね備えたコンパクトな車椅子を提供する。
【考案の概要】
【考案が解決しようとする課題】
【０００３】
車椅子を使用する人にとって外出時の最大の課題はトイレの問題です。歩行に障害を有する人が無理をせずに容易にトイレに行け、介護者や付き添いの人の負担も少なくしトイレ介助がスムーズに出来るようにしたい。
【０００４】
また歩行に障害を有する人が長時間車椅子で同じ姿勢を保つことは、大変な苦痛です。疲れを感じた時、体を休め疲れを和らげる為に横になり休憩できる事が求められています。
【０００５】
通常使用されている車椅子は、座部の外側に車輪を配置し、上半身が健常な人は、自力での移動を可能にしています。しかしその為に車椅子の横幅が広くなり、多くの人が集まる施設や比較的狭い場所での使用には必ずしも適していないものがあります。
【課題を解決するための手段】
【０００６】
本考案車椅子は立ってトイレに移動するのが困難な人や負担を感じる人の為に立たずにトイレが出来るように考案されました。その為には、車椅子の台座の中央部分に開口部を設け通常用台座とトイレ用台座の入れ換えが出来るようにします。      
【０００７】
車椅子座部下の内側両サイドにガイドレールを配置し、通常用台座とトイレ用台座がそのガイドレールに沿って入れ換えが出来るようにします。トイレを使用する時は、台座の下から通常用台座を車椅子の後ろから引きだし、トイレ用台座を車椅子の後ろから入れます。トイレが終わりましたら、トイレ用台座は後ろに引出し、通常用台座と入れ換えます。トイレ用台座に付くオマルには、上部にゴムの付いたオマル用ビニール袋でカバーする事が出来ます。トイレ使用後はオマル用ビニール袋があるのでオマルが汚れません。
【０００８】
車椅子をベッドの形にした時、安定させるために、車椅子後ろ背の頭の部分と足の部分から折りたたんでいた支えを出して伸ばします。車椅子をベッドの形にし、横になり休んで休憩できます。なお車椅子座部と背もたれ部分に転落防止をつけることもできます。
【０００９】
車椅子の横幅を狭くする為に、車椅子内側脚部の下部に小さな車輪をつけます。その結果、車椅子の横両サイドに車椅子からはみ出した大きな車輪を付ける必要がなく車輪もコンパクトにできます。ベッドの形にする時に安定させる為の支えも、車椅子の両サイドにはみ出ないように内側に収納します。このように車椅子の幅がコンパクトに出来、移動するときも便利です。
【考案の効果】
【００１０】
本考案に係る車椅子は体に障害を有する人がトイレに行くとき車椅子から無理に乗り換えてもらう必要がなく、負担が少なくなります。長時間同じ姿勢で疲れた時、横になって休憩が出来るようになります。本考案に係る車椅子は横に大きい車輪などついていないので人が多く比較的狭い場所や乗り物などのような所でも今までの車椅子よりも幅広く行動できます。本考案の車椅子は介護者や付き添いをする人も今までの車椅子より負担が少なく長時間でも一緒に出掛けられるようになります。
【図面の簡単な説明】
【００１１】
【図１】車椅子の全体図
【図２】通常時の車椅子側面図
【図３】通常時の座部部分断面
【図４】通常時の座部組立方法
【図５】オマル使用時の車椅子側面図
【図６】オマル使用時の座部部分断面図
【図７】オマル使用時の座部組立方法
【図８】オマルへのビニール袋装着方法
【図９】ビニール袋
【図１０】ベッドへの転開方法
【図１１】車椅子底面の車輪配置図
【考案を実施するための形態】
【実施例】
【００１２】
図１は、通常時用の車椅の全体図です。１は座部、２は座部通常時用クッション、３は背もたれ、４は足置き背部分、５はガイドレール、６は、脚部、７は上半身用支柱、８は下半身用支柱、９は足置き、１０は介護者用ハンドル、１１は車輪、１３は足置き背部分回転軸、１４は背もたれ部回転軸、１９は肘置きです。
【００１３】
図２は、通常時の車椅子を横から見た側面図です。
【００１４】
図３は、通常時の座部断面図であり、通常時座部の中央部分は、車椅子の台座の高さと座りやすいように合わせます。ガイドレール５に支えられ通常時座部２が入っています。
【００１５】
図４は通常時座部の組立図です。車椅子の座部の下のガイドレール５に通常用座部２をスライドして車椅子の後ろから入れます。
【００１６】
図５はオマル使用時の車椅子を横から見た側面図です。
【００１７】
図６はオマル使用時の座部断面図であり、トイレ使用時のオマル１２は、ガイドレール５で保持されます。                                                                                      
【００１８】
図７はオマル使用時の座部組立方法の図です。トイレ使用の時は、車椅子の通常時使用の座部下のガイドレールの中をスライドして１２のオマルを車椅子の後ろの方から入れます。次にオマルを入れて隙間の空いた部分に体を支えられるように１５を入れます。
【００１９】
図８はオマル１２にビニール袋を装着する方法の図です。オマルにビニール袋をセットする時は、ビニール袋の上部につけたビニール袋用ゴムバンド１６をオマルの溝にセットします。
【００２０】
図９は、オマル用ビニール袋の図です。ビニール袋には、ゴム１６がついてオマルへの装着を容易にしています。
【００２１】
図１０は、ベッドの展開方法の図です。車椅子をベッドにするとき背もたれ３を後ろに倒します。続いて上半身用支柱７を回転して、背もたれの支柱とします。同様にして、足置き背部分４と９は下から上にあげ下半身支柱８を転開して足の方の支柱とします。転落防止もセット出来るようになっています。
【００２２】
図１１車椅子底面の車輪の配置図です。車輪は車椅子の外側にはみ出さないように内側に付けます。
【符号の説明】
【００２３】
１．座部
２．通常時の座部クッション
３．背もたれ
４．足置き背部分
５．ガイドレール
６．脚部
７．上半身用支柱
８．下半身用支柱
９．足置き
１０．介助者用ハンドル
１１．車輪
１２。オマル
１３．足置き背部分回転軸
１４．背もたれ部回転軸
１５．オマル装着時の台座補間材
１６．ビニール袋用ゴムバンド
１７．ビニール袋
１８．転落防止手すり
１９．肘置き
【図１】
0003179093.tif 000003
【図２】
0003179093.tif 000004
【図３】
0003179093.tif 000005
【図４】
0003179093.tif 000006
【図５】
0003179093.tif 000007
【図６】
0003179093.tif 000008
【図７】
0003179093.tif 000009
【図８】
0003179093.tif 000010
【図９】
0003179093.tif 000011
【図１０】
0003179093.tif 000012
【図１１】
0003179093.tif 000013
【手続補正書】
【提出日】平成24年6月22日(2012.6.22)
【手続補正１】
【補正対象書類名】実用新案登録請求の範囲
【補正対象項目名】全文
【補正方法】変更
【補正の内容】
【実用新案登録請求の範囲】
【請求項１】
車椅子の座部において、通常の座部とトイレ用座部を交換可能にした車椅子。
【請求項２】
車椅子の背もたれ部を下方に回転可能とし、足乗せ部を上方に回転可能とし、車椅子をベット状に展開できるようにした車椅子。
【手続補正書】
【提出日】平成24年6月28日(2012.6.28)
【手続補正１】
【補正対象書類名】明細書
【補正対象項目名】０００４
【補正方法】変更
【補正の内容】
【０００４】
また歩行に障害を有する人が長時間車椅子で同じ姿勢を保つことは大変な苦痛です。疲れを感じた時体を休め疲れを和らげる為に横になり休憩できる事が求められています。
【手続補正２】
【補正対象書類名】明細書
【補正対象項目名】０００５
【補正方法】変更
【補正の内容】
【０００５】
通常使用されている車椅子は、座部の外側に車輪を配置し上半身が健常な人は自力での移動を可能にしています。しかしその為に車椅子の横幅が広くなり、多くの人の集まる施設や比較的狭い場所での使用には必ずしも適していないものがあります。
【手続補正３】
【補正対象書類名】明細書
【補正対象項目名】０００６
【補正方法】変更
【補正の内容】
【０００６】
本考案車椅子は立ってトイレに移動するのが困難な人や負担を感じる人の為に立たずにトイレが出来るように考案されました。その為には、車椅子の台座の中央部分に開口部を設け通常用台座とトイレ用台座の入れ換えが立たずに出来るようにします。      
【手続補正書】
【提出日】平成24年7月31日(2012.7.31)
【手続補正１】
【補正対象書類名】実用新案登録請求の範囲
【補正対象項目名】全文
【補正方法】変更
【補正の内容】
【実用新案登録請求の範囲】
【請求項１】
車椅子の座部において、通常の座部とトイレ用座部を交換可能にした車椅子。
【請求項２】
車椅子の背もたれ部を下方に回転可能とし、足乗せ部を上方に回転可能とし、車椅子をベット状に展開できることを特徴とする請求項１記載の車椅子。